(57)【要約】  複数個のプリフォームを同時に射出成形する射出成形部２１０と、プリフォームをブロー成形して第１のブロー成形品４０を形成する一次ブロー成形部２３０と、第１の搬送路２５１を備え複数個のプリフォーム及び第１のブロー成形品４０を第１の搬送路２５１に沿って所定間隔で間欠的に循環搬送する第１の搬送装置２５０と、を有する一次ブロー成形ステーション２００と、一次ブロー成形ステーション２００とは独立して設置され、第１のブロー成形品４０をブロー成形して樹脂容器１を形成する二次ブロー成形部３１０と、第１の搬送路２５１の一次ブロー成形部２３０よりも下流側で第１のブロー成形品４０を保持して二次ブロー成形部３１０に搬送する第２の搬送装置３３０と、を有する二次ブロー成形ステーション３００と、を備える構成とする。
2019212060.tif 000002
【特許請求の範囲】
【請求項１】
プリフォームをブロー成形して樹脂容器を形成するブロー成形装置であって、
複数個の前記プリフォームを同時に射出成形する射出成形部と、前記プリフォームをブロー成形して第１のブロー成形品を形成する一次ブロー成形部と、前記射出成形部と前記一次ブロー成形部とを繋ぐ第１の搬送路を備え複数個の前記プリフォーム及び前記第１のブロー成形品を前記第１の搬送路に沿って所定間隔で間欠的に循環搬送する第１の搬送装置と、を有する一次ブロー成形ステーションと、
前記一次ブロー成形ステーションとは独立して設置され、前記第１のブロー成形品をブロー成形して前記樹脂容器を形成する二次ブロー成形部と、前記第１の搬送路の前記一次ブロー成形部よりも下流側で前記第１のブロー成形品を保持して前記二次ブロー成形部に搬送する第２の搬送装置と、を有する二次ブロー成形ステーションと、を備えていることを特徴とするブロー成形装置。
【請求項２】
請求項１に記載のブロー成形装置であって、
前記第２の搬送装置は、前記第１のブロー成形品を把持する把持部材と、前記第１の搬送路とは直交する方向に延設される第２の搬送路と、を備え、前記第１のブロー成形品を把持した前記把持部材を前記第２の搬送路に沿って移動させることで当該第１のブロー成形品を前記二次ブロー成形部に搬送することを特徴とするブロー成形装置。
【請求項３】
請求項１又は２に記載のブロー成形装置であって、
前記射出成形部では、Ｎ１個の前記プリフォームを同時に射出成形し、
前記一次ブロー成形部では、Ｎ２個の前記プリフォームを同時にブロー成形し、
前記二次ブロー成形部では、Ｎ３個の前記第１のブロー成形品を同時にブロー成形し、
各々の同時成形個数Ｎ１，Ｎ２，Ｎ３が、Ｎ１：Ｎ２：Ｎ３＝４：１：１または３：１：１の関係を満たすように設定されていることを特徴とするブロー成形装置。
【請求項４】
請求項１から３の何れか一項に記載のブロー成形装置であって、
前記樹脂容器が、把手付きの樹脂容器であり、
前記二次ブロー成形ステーションに接続され、前記把手を前記二次ブロー成形部に供給する把手供給装置をさらに備えていることを特徴とするブロー成形装置。
【請求項５】
請求項１から４の何れか一項に記載のブロー成形装置であって、
前記樹脂容器が、ネック部の中心軸が胴部の中心軸より偏った位置に配置された樹脂容器であり、
前記二次ブロー成形ステーションは、前記第２の搬送装置によって搬送された前記第１のブロー成形品の胴部に圧力を加えて湾曲させる加圧装置を備え、
前記二次ブロー成形部では、前記加圧装置によって胴部が湾曲した前記第１のブロー成形品をブロー成形することを特徴とするブロー成形装置。
【発明の詳細な説明】
【技術分野】
【０００１】
本発明は、プリフォームをブロー成形することにより樹脂容器を成形するブロー成形装置に関する。
【背景技術】
【０００２】
従来、熱可塑性の樹脂材料で形成される容器（ボトル）は、軽量性や耐久性に優れて取り扱いが容易であり、それでいて所期の美観も確保しやすいため、広く社会で活用されている。この種の容器の代表例としては、飲料等の液体を充填可能なＰＥＴボトルが挙げられる。【０００３】
このような容器は、通常、いわゆるブロー成形法によって成形される。またブロー成形法には、射出成形時の熱を残存させつつプリフォーム（予備成形品）をブロー型まで搬送し、このプリフォームをブロー成形して延伸させるホットパリソン式と、射出成形した後に室温まで冷却させたプリフォームを適温まで再加熱した上でブロー成形して延伸させるコールドパリソン式と、がある。【０００４】
また容器の耐熱性の向上を目的としたブロー成形方法としては、様々な方法があるが、いわゆる１ブロー方式及び２ブロー方式と呼ばれる方法がある。１ブロー方式では温調されたブロー型を用い、プリフォームを一度のブロー成形により最終成形品である樹脂容器を形成する。【０００５】
一方、２ブロー方式では、プリフォームを高温の熱処理型でブロー成形して第１のブロー成形品を形成した後、この第１のブロー成形品をさらに温調された最終型でブロー成形することで最終成形品である樹脂容器を形成する（例えば、特許文献１参照）。【０００６】
特許文献１では、射出成形したプリフォームをブロー成形して第１のブロー成形品を形成し、この第１のブロー成形品を一旦プールする。その後、常温まで冷却された第１のブロー成形品を熱処理して中間成形品とし、この中間成形品をブロー成形することで最終成形品（樹脂容器）を形成している。このような２ブロー方式で樹脂容器を成形することで、樹脂容器の特性（例えば、耐熱性）の向上を図ることができる。【０００７】
ところで、近年は、樹脂容器の形状も多様化しており、例えば、把手付きの樹脂容器や、ネック部の中心軸が胴部の中心軸から偏って配置された樹脂容器（いわゆるオフセンター容器）等も開発されている。そして、これらの把手付き容器、オフセンター容器は、一般的に、１ブロー方式によって形成されている（例えば、特許文献２参照）。
【先行技術文献】
【特許文献】
【０００８】
【特許文献１】特許第３７９４５６７号公報
【特許文献２】特許第３８９３０５４号公報
【発明の概要】
【発明が解決しようとする課題】
【０００９】
上述のように、いわゆる２ブロー方式で樹脂容器をブロー成形することで、樹脂容器の特性（例えば、耐熱性）の向上を図ることができる。しかしながら、２ブロー方式の従来のブロー成形装置は、比較的大型であるため、設置場所が制限されたり、装置の導入コストが高額になってしまうといった問題がある。また２ブロー方式のブロー成形装置によって把手付き容器やオフセンター容器を成形しようとすると、装置の大型化や導入コスト増といった問題が生じ易い。【００１０】
本発明は、このような事情に鑑みてなされたものであり、省スペース化を図ることができ、且つ耐熱性等の特性を向上した樹脂容器を形成することができるブロー成形装置を提供することを目的とする。
【課題を解決するための手段】
【００１１】
上記課題を解決する本発明の一つの態様は、プリフォームをブロー成形して樹脂容器を形成するブロー成形装置であって、複数個の前記プリフォームを同時に射出成形する射出成形部と、前記プリフォームをブロー成形して第１のブロー成形品を形成する一次ブロー成形部と、前記射出成形部と前記一次ブロー成形部とを繋ぐ第１の搬送路を備え複数個の前記プリフォーム及び前記第１のブロー成形品を前記第１の搬送路に沿って所定間隔で間欠的に循環搬送する第１の搬送装置と、を有する一次ブロー成形ステーションと、前記一次ブロー成形ステーションとは独立して設置され、前記第１のブロー成形品をブロー成形して前記樹脂容器を形成する二次ブロー成形部と、前記第１の搬送路の前記一次ブロー成形部よりも下流側で前記第１のブロー成形品を保持して前記二次ブロー成形部に搬送する第２の搬送装置と、を有する二次ブロー成形ステーションと、を備えていることを特徴とするブロー成形装置にある。【００１２】
ここで、前記第２の搬送装置は、前記第１のブロー成形品を把持する把持部材と、前記第１の搬送路とは直交する方向に延設される第２の搬送路と、を備え、前記第１のブロー成形品を把持した前記把持部材を前記第２の搬送路に沿って移動させることで当該第１のブロー成形品を前記二次ブロー成形部に搬送することが好ましい。【００１３】
また前記射出成形部では、Ｎ１個の前記プリフォームを同時に射出成形し、前記一次ブロー成形部では、Ｎ２個の前記プリフォームを同時にブロー成形し、前記二次ブロー成形部では、Ｎ３個の前記第１のブロー成形品を同時にブロー成形し、各々の同時成形個数Ｎ１，Ｎ２，Ｎ３が、Ｎ１：Ｎ２：Ｎ３＝４：１：１または３：１：１の関係を満たすように設定されていることが好ましい。【００１４】
また前記樹脂容器が、把手付きの樹脂容器である場合、前記二次ブロー成形ステーションに接続され、前記把手を前記二次ブロー成形部に供給する把手供給装置をさらに備えていることが好ましい。【００１５】
また前記樹脂容器が、ネック部の中心軸が胴部の中心軸より偏った位置に配置された樹脂容器である場合、前記二次ブロー成形ステーションは、前記第２の搬送装置によって搬送された前記第１のブロー成形品の胴部に圧力を加えて湾曲させる加圧装置を備え、前記二次ブロー成形部では、前記加圧装置によって胴部が湾曲した前記第１のブロー成形品をブロー成形することが好ましい。
【発明の効果】
【００１６】
かかる本発明のブロー成形装置によれば、２ブロー方式によって、樹脂容器を効率的に形成することができ、樹脂容器の特性（例えば、耐熱性）の向上を図ることができる。また本発明のブロー成形装置は、例えば、把手付き容器やオフセンター容器を形成することもできる。つまり、本発明に係るブロー成形装置によれば、耐熱性等の特性を向上した把手付き容器やオフセンター容器を形成することができる。【００１７】
また本発明によれば、ブロー成形装置の小型化（省スペース化）を図ることができる。したがって、設置場所の制限が少なく、導入コストの増加も抑制することができる。
【図面の簡単な説明】
【００１８】
【図１】本発明のブロー成形装置によって形成される樹脂容器の一例を示す斜視図である。
【図２】本発明のブロー成形装置によって形成される樹脂容器の一例を示す正面図である。
【図３】本発明のブロー成形装置によって形成される樹脂容器の一例を示す側面図である。
【図４】本発明の一実施形態に係るブロー成形装置を示す平面図である。
【図５】本発明の一実施形態に係るブロー成形装置を示す正面図である。
【図６】本発明の一実施形態に係るブロー成形装置を示す背面図である。
【図７】本発明の一実施形態に係るブロー成形装置を示す左側面図である。
【発明を実施するための形態】
【００１９】
以下、本発明の一実施形態に係るブロー成形装置について、図面を参照して詳細に説明する。
【００２０】
まずは、本発明の一実施形態に係るブロー成形装置によって形成される樹脂容器の形状の一例について簡単に説明する。
【００２１】
図１〜図３に示すように、樹脂容器１は、液体等を充填するための容器であり、容器本体１０と、容器用把手２０とを備えている。容器本体１０は、例えば、ポリエチレンテレフタレート（ＰＥＴ）樹脂で形成され、上端に開口部１１を有するネック部１２と、筒状の胴部１３と、ネック部１２と胴部１３とを繋ぎネック部１２側から徐々に拡開する肩部１４と、胴部１３の一端を密封する底部１５と、を備えている。
【００２２】
また胴部１３の上半部には、把手用の凹部１６が形成されており、この凹部１６に容器用把手２０が配されて容器本体１０に取り付けられている。
【００２３】
本実施形態に係る樹脂容器１は、いわゆるオフセンター容器であり、ネック部１２の開口中心軸Ｃ１が、胴部１３の中心軸Ｃ２より偏った位置に配置されている（図２参照）。なお、容器本体１０は、図２に示すように、正面を見た場合にのみオフセンターになっており、図３に示すように、側面を見た場合にはオフセンターになっていない。
【００２４】
また、正面を見た場合の胴部１３の直径Ｄ１は、側面を見た場合の胴部１３の直径Ｄ２よりも長く形成されている。つまり、胴部１３は横断面で長軸と短軸とを含む略偏平状（略楕円状）に形成されている。勿論、胴部１３の断面形状は特に限定されるものではない。例えば、胴部１３の直径Ｄ１は、直径Ｄ２以下であってもよい。
【００２５】
容器用把手２０は、容器本体１０の凹部１６に、その上下方向に沿って配設される把手本体部２１と、把手本体部２１の上下方向両端部付近よりそれぞれ側方に突出する上部係合部２２及び下部係合部２３とが設けられ、全体が略Ｕ字状に形成されている。
【００２６】
この容器用把手２０は、ブロー成形により容器本体１０を形成する際、上部係合部２２及び下部係合部２３のそれぞれの先端部の周囲に樹脂が回り込むことで、容器本体１０と一体化されている。
【００２７】
また、この樹脂容器１の容器本体１０は、以下に説明するように、いわゆる２ブロー方式で成形されており、例えば、８５℃〜９５℃程度の温度に耐え得る耐熱性を有している。
【００２８】
以下、このような耐熱性を有する樹脂容器（耐熱容器）１を形成するためのブロー成形装置について説明する。
【００２９】
図４〜図７に示すように、本発明に係るブロー成形装置１００は、一次ブロー成形ステーション２００と、この一次ブロー成形ステーション２００とは独立して設置される二次ブロー成形ステーション３００と、容器用把手２０を二次ブロー成形ステーション３００に供給する把手供給装置４００と、を備えている。
【００３０】
一次ブロー成形ステーション２００は、射出成形部２１０と、温調部（加熱部）２２０と、一次ブロー成形部２３０と、取出し部２４０と、第１の搬送装置２５０と、を備えている。
【００３１】
射出成形部２１０は、射出装置２１１から樹脂材料を射出成形型２１２に射出することによってプリフォーム（予備成形品）３０を成形する。射出成形型２１２は射出コア型、射出キャビティ型およびネック型を備える。この射出成形部２１０では、一度に複数個、例えば、３本あるいは４本のプリフォーム３０を成形する。勿論、射出成形部２１０が一度に形成するプリフォーム３０の本数は特に限定されるものではない。また温調部（再加熱部）２２０は、一次ブロー成形前にプリフォーム３０の温度を調整する。
【００３２】
一次ブロー成形部２３０では、プリフォーム３０をブロー成形して第１のブロー成形品４０を形成する。一次ブロー成形部２３０は、一次ブロー型２３１を有し、この一次ブロー型２３１に配置されたプリフォーム３０内に高圧エアーを導入することで、第１のブロー成形品４０が形成される。
【００３３】
一次ブロー型２３１は、例えば、一対の第一のブローキャビティ割型と第一の底型とを備え、１本のプリフォーム３０から一つの第１のブロー成形品４０を成形可能に構成されている。一次ブロー成形部２３０では、その後、高圧エアーを排気し一次ブロー型２３１を開状態にして、第１のブロー成形品４０を一次ブロー型２３１から取り出す。一次ブロー型２３１は、ブロー状態にある第１のブロー成形品４０を熱処理し、結晶化密度の向上と残留応力の除去を促進させ耐熱性能を高めるため、例えば、１６０℃から２５０℃の高温に設定されている。なお、図４〜図６では、第一のブローキャビティ割型が型開き位置にある状態が示されている。
【００３４】
そして、後述するように一次ブロー成形部２３０で形成された第１のブロー成形品４０を一次ブロー成形ステーション２００から外部に取り出す場合には、取出し部２４０にて外部に取り出す。
【００３５】
第１の搬送装置２５０は、これら射出成形部２１０、温調部２２０、一次ブロー成形部２３０及び取出し部２４０とを循環する略四角形の第１の搬送路２５１と、この第１の搬送路２５１上を移動する第１の保持部材２５２と、を備えている。第１の搬送装置２５０は、この第１の保持部材２５２に載置されたプリフォーム３０を第１の搬送路２５１に沿って射出成形部２１０から一次ブロー成形部２３０まで搬送する。
【００３６】
また第１の搬送装置２５０は、一次ブロー成形部２３０にて形成された第１のブロー成形品４０を一次ブロー成形部２３０から搬出し、第１の搬送路２５１に沿って取出し部２４０まで搬送可能に構成されている。つまり第１の搬送装置２５０は、複数個のプリフォーム３０及び第１のブロー成形品４０を第１の搬送路２５１に沿って所定間隔で間欠的に循環搬送する。
【００３７】
なお、取出し部２４０等で第１のブロー成形品４０が取り外された場合、第１の保持部材２５２はそのまま第１の搬送路２５１に沿って射出成形部２１０に搬入され、新たなプリフォーム３０が載置される。なお本実施形態では、第１の保持部材２５２は、プリフォーム３０又は第１のブロー成形品４０を倒立状態（ネック部を下向きとした状態）で保持する。
【００３８】
二次ブロー成形ステーション３００は、一次ブロー成形ステーション２００とは独立して設置されており、二次ブロー成形部（最終ブロー成形部）３１０、回収部３２０、第２の搬送装置３３０及び待機部３４０を備えている。
【００３９】
二次ブロー成形部３１０は、一対の第二のブローキャビティ割型と第二の底型からなる二次ブロー型（最終ブロー型）３１１を備え、第２の搬送装置３３０によって一次ブロー成形ステーション２００から二次ブロー型３１１に搬送された第１のブロー成形品４０をブロー成形し、最終成形品である樹脂容器１を形成する。二次ブロー成形部３１０で形成された樹脂容器１は、回収部３２０にて回収し、所定の搬送手段、例えば、ベルトコンベアー等にて所定の保管場所まで搬送される。なお、図４〜図６では、第二のブローキャビティ割型が型開き位置にある状態が示されている。
【００４０】
二次ブロー型３１１は第１のブロー成形品４０を温調して樹脂容器１の形状出しと耐熱性能を助長するため、８５℃から１０５℃の温度に調整されている。また、二次ブロー成形部３１０は、例えば、一つの二次ブロー型を備え、二次ブロー型３１１は、一つの樹脂容器１を成形可能に構成されている。
【００４１】
ここで、第１のブロー成形品４０は、第２の搬送装置３３０によって、一次ブロー成形部２３０から二次ブロー成形部３１０に搬送される。具体的には、第２の搬送装置３３０は、上流搬送部３５０及び下流搬送部３６０を備えている。上流搬送部３５０は、第１の搬送路２５１の一次ブロー成形部２３０よりも下流側で第１のブロー成形品４０を保持して待機部３４０に搬送する。その後、下流搬送部３６０が、待機部３４０から二次ブロー成形部３１０（二次ブロー型３１１）に第１のブロー成形品４０を搬送する。
【００４２】
上流搬送部３５０は、第１の搬送路２５１に沿って搬送されている第１のブロー成形品４０を把持する把持部材３５１を備えている。この把持部材３５１は、倒立状態で第１の保持部材２５２上に載置されている第１のブロー成形品４０のネック部を把持する。
【００４３】
また上流搬送部３５０は、第１の搬送路２５１の所定位置、すなわち把持部材３５１が第１のブロー成形品４０を把持する位置において、この第１の搬送路２５１とは直交する方向に延設された第２の搬送路３５２を備えている。
【００４４】
上流搬送部３５０は、この第２の搬送路３５２に沿って、第１のブロー成形品４０を把持した把持部材３５１を移動させる。把持部材３５１は、第２の搬送路３５２に沿ってスライド移動する固定板３５３と、この固定板３５３の上面に設けられるチャック部材３５４とを備えている。チャック部材３５４は、第１の搬送路２５１に向けて前進及び後退可能（進退可能）かつ１８０度回転可能および昇降可能に固定板３５３に設けられている。
【００４５】
把持部材３５１の具体的な動作は次の通りである。開状態のチャック部材３５４を第１の搬送路２５１の方向に前進させる。チャック部材３５４を閉状態にすることで第１のブロー成形品４０（ネック部）を保持する。チャック部材３５４を上昇させて、第１の保持部材２５２から第１のブロー成形品４０を引き抜く（離脱させる）。上昇位置にあるチャック部材３５４を第１の搬送路２５１から後退させた後、１８０度回転させる。
【００４６】
その状態で固定板３５３を介してチャック部材３５４を第２の搬送路３５２に沿ってスライド移動させる。待機部３４０に至ったら、チャック部材３５４を下降させて後述する第２の保持部材３６１に第１のブロー成形品４０に差し込む（載置させる）。チャック部材３５４を開状態にして待機部３４０から後退させる。その状態で１８０度回転させ、第１の搬送路２５１の近傍に戻す。
【００４７】
第１のブロー成形品４０は、このような上流搬送部３５０によって第１の搬送路２５１から待機部３４０に搬送される。
【００４８】
下流搬送部３６０は、上流搬送部３５０によって搬送された第１のブロー成形品４０を保持する第２の保持部材３６１を備えている。この第２の保持部材３６１は、第１のブロー成形品４０のネック部に挿入される凸部を備えて第１のブロー成形品４０を倒立状態で保持する。また下流搬送部３６０は、上流搬送部３５０の第２の搬送路３５２の延長線上に配置される第３の搬送路３６２を備えている。第３の搬送路３６２は、待機部３４０から二次ブロー成形部３１０を介して回収部３２０まで連続して設けられている。そして下流搬送部３６０は、第２の保持部材３６１を第３の搬送路３６２に沿ってスライド移動可能に構成されている。つまり下流搬送部３６０は、第２の保持部材３６１を、待機部３４０、二次ブロー成形部３１０、回収部３２０、待機部３４０の順で間欠的かつ直線的に移動可能に構成されている。
【００４９】
第１のブロー成形品４０は、このような下流搬送部３６０によって待機部３４０から二次ブロー成形部３１０（二次ブロー型３１１）に移動される。より詳細には、上流搬送部３５０によって第１のブロー成形品４０が待機部３４０に搬送される際、待機部３４０には第２の保持部材３６１が待機している。上流搬送部３５０によって待機部３４０に搬送された第１のブロー成形品４０は、第２の保持部材３６１に載置される。そして第１のブロー成形品４０が載置された第２の保持部材３６１が二次ブロー成形部３１０に搬送される。
【００５０】
なお本実施形態では、上流搬送部３５０とは駆動源が別である下流搬送部３６０によって、第２の保持部材３６１を第３の搬送路３６２に沿って移動させるようにしたが、第２の保持部材３６１は、上流搬送部３５０と同一の駆動源によって第３の搬送路３６２に沿って移動させるようにすることもできる。
【００５１】
また一次ブロー成形ステーション２００と二次ブロー成形ステーション３００との間の搬送時間は第１のブロー成形品４０の温度が下がりすぎないように調整され、例えば、６秒以内に設定される。また第１のブロー成形品４０の搬送時間を短縮するためには、第２の搬送路３５２と第３の搬送路３６２とは、上述のように直線的に設置されていることが望ましい。この場合、把持部材３５１及び第２の保持部材３６１の進行方向と二次ブロー型３１１の型開閉方向とは直交する様態となる。
【００５２】
さらに、第２の保持部材３６１は、二次ブロー成形部３１０の同時成形数（二次ブロー型３１１のキャビティ数）と同じ数量の様態で設けられていれば良く、好ましくは、一つのみ設けられている様態が望ましい。この態様は、二次ブロー成形部３１０の成形時間が一次ブロー成形部２３０の成形時間より短い場合で可能であり、特に、二次ブロー成形部３１０の成形時間が一次ブロー成形部２３０の成形時間の１／２以下であると好ましい。
【００５３】
この場合には、一次ブロー成形部２３０の成形時間と上流搬送部３５０による第１のブロー成形品４０の一次ブロー成形ステーション２００から二次ブロー成形ステーション３００の待機部３４０への搬送時間を合計した時間内に、待機部３４０に位置する第２の保持部材３６１が、二次ブロー成形部３１０、回収部３２０を経て待機部３４０に戻り、再び待機することが可能となる。これにより、二次ブロー成形ステーション３００の部品点数が少なくなり、製造コストを低減することができる。
【００５４】
ところで、本実施形態に係る樹脂容器１は、上述のようにネック部１２の中心軸が胴部１３の中心軸より偏った位置に配置された樹脂容器である（図２参照）。このため、二次ブロー成形ステーション３００は、上流搬送部３５０によって搬送された第１のブロー成形品４０の胴部に圧力を加えて湾曲させる加圧装置３７０を備えており、二次ブロー成形部３１０では、この加圧装置３７０によって胴部が湾曲した第１のブロー成形品４０をブロー成形して樹脂容器１を形成する。
【００５５】
加圧装置３７０は、二次ブロー成形ステーション３００において二次ブロー成形部３１０（二次ブロー型３１１）の上流側に配置され、第１のブロー成形品４０の胴部に当接する当接部材３７１を備え、この当接部材３７１によって胴部を湾曲させる。
【００５６】
当接部材３７１は、例えば、棒状のガイド部材が用いられる。この場合の当接部材３７１は、チャック部材３５４が上昇位置にあるときのみ第１のブロー成形品４０の胴部に当接して、チャック部材３５４が下降位置にあるときは当接しないよう、高さ調整されている。これにより、上昇位置にあるチャック部材３５４により第１のブロー成形品４０を搬送しているときに第１のブロー成形品４０の胴部に対して当接部材３７１を自動的に当てることができ、搬送工程中に胴部を湾曲させることができる。
【００５７】
また、チャック部材３５４を下降させて第２の保持部材３６１に第１のブロー成形品４０を差し込むとき、胴部が湾曲した第１のブロー成形品４０を自動的に当接部材３７１から離すことができ、第１のブロー成形品４０を二次ブロー成形部３１０に当接部材３７１と干渉させずに搬送することができる。なお、加圧装置３７０の構成は特に限定されず、第１のブロー成形品４０の胴部を加圧して適切に湾曲させることができればよい。
【００５８】
例えば、加圧装置３７０は、二次ブロー型３１１内に第１のブロー成形品４０を配置した状態で、その型閉動作時に、二次ブロー成形型に形成したスリットから内部に高温エアーを噴出することで、あるいは内部を吸引することで、第１のブロー成形品４０の胴部を湾曲させるようにしてもよい。
【００５９】
また例えば、加圧装置３７０は、二次ブロー型３１１に対して進退移動可能な入れ子型を備え、二次ブロー型３１１内に第１のブロー成形品４０を配置した状態で、この入れ子型を前進させて第１のブロー成形品４０の胴部を押圧することで、第１のブロー成形品４０の胴部を湾曲させるようにしてもよい。
【００６０】
このように加圧装置３７０によって第１のブロー成形品４０を適切に加圧して湾曲させた後に、二次ブロー成形部３１０にて、第１のブロー成形品４０をブロー成形することで、いわゆるオフセンター容器である樹脂容器１を良好に形成することができる。
【００６１】
なお、第１のブロー成形品４０を湾曲させるタイミングは、二次ブロー成形部３１０でのブロー成形前であればよい。したがって、二次ブロー成形部３１０（二次ブロー成形ステーション３００）で加圧装置３７０により第１のブロー成形品４０の胴部を湾曲させずに、例えば、一次ブロー成形部２３０（一次ブロー成形ステーション２００）でオフセンター形状の第１のブロー成形品４０を成形してもよい。
【００６２】
また本実施形態に係る樹脂容器１は、上述のように把手付き容器であり、ブロー成形装置１００は、容器用把手２０を二次ブロー成形ステーション３００に供給する把手供給装置４００を備えている。
【００６３】
この把手供給装置４００は、複数個の容器用把手２０を保持する保持部４１０と、この保持部４１０と二次ブロー成形ステーション３００とを接続して容器用把手２０を搬送する把手搬送路４２０とを備えており、把手搬送路４２０を介して容器用把手２０を二次ブロー成形ステーション３００に搬送する。
【００６４】
二次ブロー成形ステーション３００に搬送された容器用把手２０は、二次ブロー成形部３１０にて第１のブロー成形品４０がブロー成形される際に、所定のタイミングに二次ブロー成形型内に供給される。これにより、二次ブロー成形部３１０にて把手付き容器である樹脂容器１が形成されるようになっている。
【００６５】
以上説明した本実施形態に係るブロー成形装置１００によれば、樹脂容器１を効率的に形成することができると共に、装置の省スペース化（小型化）を図ることができる。
【００６６】
特に、本実施形態では、射出成形部２１０にてＮ１個のプリフォーム３０を同時に射出成形し、一次ブロー成形部２３０にてＮ２個のプリフォーム３０を同時にブロー成形し、二次ブロー成形部３１０にてＮ３個の第１のブロー成形品４０を同時にブロー成形し、各々の同時成形個数Ｎ１，Ｎ２，Ｎ３が、Ｎ１：Ｎ２：Ｎ３＝４：１：１または３：１：１の関係を満たすように設定されている。これにより、樹脂容器１をより効率的に形成することができる。
【００６７】
さらに、射出成形部２１０の成形時間Ｔ１、一次ブロー成形部２３０の成形時間Ｔ２、二次ブロー成形部３１０の成形時間Ｔ３および第２の搬送路３５２における把持部材３５１の往復移動時間Ｔ４の関係は、Ｔ１＞４×Ｔ２かつＴ２＞Ｔ３＋Ｔ４の条件を満たしているか、または、Ｔ１＞３×Ｔ２かつＴ２＞Ｔ３＋Ｔ４の条件を満たしていることが望ましい。なお、射出成形部２１０の成形時間Ｔ１には、射出成形部２１０から第１の搬送路２５１にプリフォーム３０を移送する時間が含まれていても良い。
【００６８】
また本実施形態に係るブロー成形装置１００は、二次ブロー成形ステーション３００が、一次ブロー成形ステーション２００とは独立して設置されている。すなわち二次ブロー成形ステーション３００は、一次ブロー成形ステーション２００とは分離可能に設けられている。例えば、既存の一次ブロー成形ステーションに、二次ブロー成形ステーション３００を接続して使用することもできる。
【００６９】
また、ブロー成形装置１００は、一次ブロー成形ステーション２００と二次ブロー成形ステーション３００とを備えるが、一次ブロー成形ステーション２００のみを使用して、１ブロー方式で樹脂容器（把手なし）を成形することもできる。
【００７０】
この場合には、一次ブロー成形部２３０で成形される上記第１のブロー成形品４０が最終成形品である樹脂容器となり、この樹脂容器を取出し部２４０から外部に取り出す。例えば、一次ブロー成形型の温度を８５℃から１０５℃に調整した状態でブロー成形することで、７５℃程度の温度に耐え得る、いわゆる準耐熱容器であれば、１ブロー方式によっても良好に形成することができる。
【００７１】
このようにブロー成形装置１００は、１ブロー方式及び２ブロー方式のそれぞれによって、樹脂容器を成形することができるため、複数種類の樹脂容器（耐熱容器）を比較的容易に成形することができる。
【００７２】
以上、本発明の一実施形態について説明したが、本発明は、上述の実施形態に限定されるものではない。本発明は、その趣旨を逸脱しない範囲で適宜変更が可能なものである。
【００７３】
例えば、上述の実施形態では、本発明に係るブロー成形装置で形成する樹脂容器として、把手付きのオフセンター容器を例示したが、樹脂容器の形状は特に限定されるものではない。本発明のブロー成形装置は、あらゆる形状の樹脂容器の形成に適用可能なものである。
【符号の説明】
【００７４】
１  樹脂容器
１０  容器本体
１１  開口部
１２  ネック部
１３  胴部
１４  肩部
１５  底部
１６  凹部
２０  容器用把手
２１  把手本体部
２２  上部係合部
２３  下部係合部
３０  プリフォーム
４０  第１のブロー成形品
１００  ブロー成形装置
２００  一次ブロー成形ステーション
２１０  射出成形部
２１１  射出装置
２２０  温調部（再加熱部）
２３０  一次ブロー成形部
２３１  一次ブロー型
２４０  取出し部
２５０  第１の搬送装置
２５１  第１の搬送路
３００  二次ブロー成形ステーション
３１０  二次ブロー成形部
３１１  二次ブロー型
３２０  回収部
３３０  第２の搬送装置
３４０  待機部
３５０  上流搬送部
３５１  把持部材
３５２  第２の搬送路
３５３  固定板
３５４  チャック部材
３６０  下流搬送部
３６１  第２の保持部材
３６２  第３の搬送路
３７０  加圧装置
３７１  当接部材
４００  把手供給装置
４１０  保持部
４２０  把手搬送路
【図１】
2019212060.tif 000003
【図２】
2019212060.tif 000004
【図３】
2019212060.tif 000005
【図４】
2019212060.tif 000006
【図５】
2019212060.tif 000007
【図６】
2019212060.tif 000008
【図７】
2019212060.tif 000009
【国際調査報告】
2019212060.tif 000010
2019212060.tif 000011
2019212060.tif 000012
2019212060.tif 000013